(57)【要約】【課題】従前の装置においては組み合わせ計量の指定重量範囲に収まる組み合わせがない場合、一度載置した対象物を載せ替えたうえで再計量ボタン（リセットボタン）を押して再計量を行う機構となっており、作業効率が低くなっていた。【解決手段】野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備えた組み合わせ計量機であり、その使用方法である。【選択図】図１
2020056646.tif 000002
【特許請求の範囲】
【請求項１】
野菜・食品等を秤量するための複数の計量部位を有する組み合わせ計量機において、
該組み合わせ計量機の各計量部位は夫々の近傍に発光素子を備え、
該組み合わせ計量の指定重量範囲に収まる組み合わせがある場合は該当部位の発光素子により指示を行い、
且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備えたことを特徴とする、
組み合わせ計量機。
【請求項２】
野菜・食品等を秤量するための複数の計量部位を有する組み合わせ計量機において、
該組み合わせ計量機の各計量部位は夫々の近傍に発光素子を備え、
該組み合わせ計量の指定重量範囲に収まる組み合わせがある場合は該当部位の発光素子により指示を行い、
該組み合わせ計量の指定重量範囲に収まる組み合わせがない場合に何れかの計量皿に載置された秤量対象物を減らし、増やし或いは載せ替えた場合、その重量変動を検知する機構を備え、
かかる重量変動があった場合に自動的に再計算を行い、該組み合わせ計量の指定重量範囲に収まる組み合わせがある場合は該当部位の発光素子により指示を行うことを特徴とする、
組み合わせ計量機。
【請求項３】
野菜・食品等を秤量するための複数の計量部位を有する組み合わせ計量機において、
該組み合わせ計量機の各計量部位は夫々の近傍に発光素子を備え、
該組み合わせ計量の指定重量範囲に収まる組み合わせがある場合は該当部位の発光素子により指示を行い、
且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、
該準最適値の指示があった場合に場合に対象計量皿に載置された秤量対象物を減らし、増やし或いは載せ替えた場合、その重量変動を検知する機構を備え、
かかる重量変動があった場合に自動的に再計算を行い、該組み合わせ計量の指定重量範囲に収まる組み合わせがある場合は該当部位の発光素子により指示を行い、
該組み合わせ計量の指定重量範囲に収まる組み合わせがない場合は、再度準最適値を該当部位の表示素子により弁別可能な指示を行うことを特徴とする、
組み合わせ計量機。
【請求項４】
該準最適値の設定は、
指定重量範囲の設定とともに準最適値発動の上限値及び／又は下限値の設定が可能であることを特徴とする、
請求項１又は３記載の組み合わせ計量機。
【請求項５】
該組み合わせ計量機の発光素子による指示は、
指定重量範囲に収まる組み合わせがある場合は該当部位の発光素子が連続点灯し、
準最適値が指示される場合は該当部位の発光素子が点滅することにより指示を行うことを特徴とする、
請求項１、３又は４に記載の組み合わせ計量機。
【請求項６】
該組み合わせ計量機の各計量部位の近傍に備えられる発光素子は、
ＬＥＤ素子であることを特徴とする、
請求項１乃至５の何れか一に記載の組み合わせ計量機。
【請求項７】
該組み合わせ計量機の各計量部位の近傍に備えられる発光素子は、
マトリクス表示素子であることを特徴とする、
請求項１乃至５の何れか一に記載の組み合わせ計量機。
【請求項８】
該マトリクス表示素子は、
マトリクスＬＥＤ表示素子であることを特徴とする、
請求項７記載の組み合わせ計量機。
【請求項９】
該組み合わせ計量機のマトリクスＬＥＤ表示素子による指示は、
指定重量範囲に収まる組み合わせがある場合の該当部位のマトリクスＬＥＤ表示素子に表示される文字或いは記号と、
準最適値が指示される場合の該当部位のマトリクスＬＥＤ表示素子に表示される文字或いは記号が異なることにより指示を行うことを特徴とする、
請求項７又は８に記載の組み合わせ計量機。
【請求項１０】
該組み合わせ計量機において、
複数の計量部位を２つの領域或いは複数の領域に領域分割し、且つ、それぞれの領域は独立して組み合わせ計量を行う機能を備えたことを特徴とする、
請求項１乃至９の何れか一に記載の組み合わせ計量機。
【請求項１１】
該発光素子による組み合わせ成立の指示は、
分割された領域ごとに異なった発光色或いは異なった表示となっていることを特徴とする、
請求項１０記載の組み合わせ計量機。
【請求項１２】
該組み合わせ計量機は、
対向する２列の計量部位を備え、且つ領域分割がなされ、
複数の作業者が同時に作業を行えることを特徴とする、
請求項１０又は１１記載の組み合わせ計量機。
【請求項１３】
該組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１乃至１２の何れか一に記載の組み合わせ計量機。
【請求項１４】
該組み合わせ計量機は、
ソフトウェアの追加或いは既に搭載されたソフトウェアの切り替えにより、
組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする、
請求項１乃至１３の何れか一に記載の組み合わせ計量機。
【請求項１５】
該組み合わせ計量機は、
ＵＳＢメモリを含む外部記憶装置を接続する機構を有し、
データの保管及び管理が可能であることを特徴とする、
請求項１乃至１４の何れか一に記載の組み合わせ計量機。
【請求項１６】
該組み合わせ計量機は、
対象物品の価格データ等との統合計算を行う機能を有し、
荷受処理、出荷処理、伝票発行及びネットワークを介してのこれらのデータの転送或いは送受信が可能であることを特徴とする、
請求項１乃至１５の何れか一に記載の組み合わせ計量機。
【請求項１７】
野菜・食品等を秤量するための複数の計量部位を有する組み合わせ計量機の使用方法であって、
該組み合わせ計量機の各計量部位は夫々の近傍に発光素子を備え、
該組み合わせ計量の指定重量範囲に収まる組み合わせがある場合は該当部位の発光素子により指示を行い、
且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、
作業者は該組み合わせ計量の指定重量範囲に収まる組み合わせがある場合はこれらをピックアップし、
また、準最適値の指示があった場合はこれらをピックアップする、或いは何れかの計量皿に載置された秤量対象物を減らし、増やし或いは載せ替を行うことを特徴とする、
組み合わせ計量機の使用方法。
【請求項１８】
野菜・食品等を秤量するための複数の計量部位を有する組み合わせ計量機の使用方法であって、
該組み合わせ計量機の各計量部位は夫々の近傍に発光素子を備え、
該組み合わせ計量の指定重量範囲に収まる組み合わせがある場合は該当部位の発光素子により指示を行い、
該組み合わせ計量の指定重量範囲に収まる組み合わせがない場合に何れかの計量皿に載置された秤量対象物を減らし、増やし或いは載せ替えた場合、その重量変動を検知する機構を備え、
かかる重量変動があった場合に自動的に再計算を行い、該組み合わせ計量の指定重量範囲に収まる組み合わせがある場合は該当部位の発光素子により指示を行う機構を有し、
作業者は該組み合わせ計量の指定重量範囲に収まる組み合わせがある場合はこれらをピックアップし、
該組み合わせ計量の指定重量範囲に収まる組み合わせがない場合は、計量皿の何れかに載置された秤量対象物を減らし、増やし或いは載せ替を行い、自動再計算の結果に従ってピックアップ或いは再度の載せ替えを行うことを特徴とする、
組み合わせ計量機の使用方法。
【請求項１９】
野菜・食品等を秤量するための複数の計量部位を有する組み合わせ計量機の使用方法であって、
該組み合わせ計量機の各計量部位は夫々の近傍に発光素子を備え、
該組み合わせ計量の指定重量範囲に収まる組み合わせがある場合は該当部位の発光素子により指示を行い、
且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、
該準最適値の指示があった場合に場合に対象計量皿に載置された秤量対象物を減らし、増やし或いは載せ替えた場合、その重量変動を検知する機構を備え、
かかる重量変動があった場合に自動的に再計算を行い、該組み合わせ計量の指定重量範囲に収まる組み合わせがある場合は該当部位の発光素子により指示を行い、
該組み合わせ計量の指定重量範囲に収まる組み合わせがない場合は、再度準最適値を該当部位の表示素子により弁別可能な指示を行う機構を有し、
作業者は該組み合わせ計量の指定重量範囲に収まる組み合わせがある場合はこれらをピックアップし、
また、準最適値の指示があった場合は対象計量皿の何れかに載置された秤量対象物を減らし、増やし或いは載せ替を行い、自動再計算の結果に従ってピックアップ或いは再度の載せ替えを行うことを特徴とする、
組み合わせ計量機の使用方法。
【請求項２０】
該準最適値の設定は、
指定重量範囲の設定とともに準最適値発動の上限値及び／又は下限値の設定が可能であることを特徴とする、
請求項１７又は１９記載の組み合わせ計量機。
【請求項２１】
該組み合わせ計量機の発光素子による指示は、
指定重量範囲に収まる組み合わせがある場合は該当部位の発光素子が連続点灯し、
準最適値が指示される場合は該当部位の発光素子が点滅することにより指示を行うことを特徴とする、
請求項１７、１９又は２０に記載の組み合わせ計量機の使用方法。
【請求項２２】
該組み合わせ計量機の各計量部位の近傍に備えられる発光素子は、
ＬＥＤ素子であることを特徴とする、
請求項１７乃至２１の何れか一に記載の組み合わせ計量機の使用方法。
【請求項２３】
該組み合わせ計量機の各計量部位の近傍に備えられる発光素子は、
マトリクス表示素子であることを特徴とする、
請求項１７乃至２１の何れか一に記載の組み合わせ計量機の使用方法。
【請求項２４】
該マトリクス表示素子は、
マトリクスＬＥＤ表示素子であることを特徴とする、
請求項２３記載の組み合わせ計量機の使用方法。
【請求項２５】
該組み合わせ計量機のマトリクスＬＥＤ表示素子による指示は、
指定重量範囲に収まる組み合わせがある場合の該当部位のマトリクスＬＥＤ表示素子に表示される文字或いは記号と、
準最適値が指示される場合の該当部位のマトリクスＬＥＤ表示素子に表示される文字或いは記号が異なることにより指示を行うことを特徴とする、
請求項２３又は２４に記載の組み合わせ計量機の使用方法。
【請求項２６】
該組み合わせ計量機において、
複数の計量部位を２つの領域或いは複数の領域に領域分割し、且つ、それぞれの領域は独立して組み合わせ計量を行う機能を備えたことを特徴とする、
請求項１７乃至２５の何れか一に記載の組み合わせ計量機の使用方法。
【請求項２７】
該発光素子による組み合わせ成立の指示は、
分割された領域ごとに異なった発光色或いは異なった表示となっていることを特徴とする、
請求項２６記載の組み合わせ計量機の使用方法。
【請求項２８】
該組み合わせ計量機は、
対向する２列の計量部位を備え、且つ領域分割がなされ、
複数の作業者が同時に作業を行えることを特徴とする、
請求項２６又は２７記載の組み合わせ計量機の使用方法。
【請求項２９】
該組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１７乃至２８の何れか一に記載の組み合わせ計量機の使用方法。
【請求項３０】
該組み合わせ計量機は、
ソフトウェアの追加或いは既に搭載されたソフトウェアの切り替えにより、
組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする、
請求項１７乃至２９の何れか一に記載の組み合わせ計量機の使用方法。
【請求項３１】
該組み合わせ計量機は、
ＵＳＢメモリを含む外部記憶装置を接続する機構を有し、
データの保管及び管理が可能であることを特徴とする、
請求項１７乃至３０の何れか一に記載の組み合わせ計量機の使用方法。
【請求項３２】
該組み合わせ計量機は、
対象物品の価格データ等との統合計算を行う機能を有し、
荷受処理、出荷処理、伝票発行及びネットワークを介してのこれらのデータの転送或いは送受信が可能であることを特徴とする、
請求項１７乃至３１の何れか一に記載の組み合わせ計量機の使用方法。
【発明の詳細な説明】
【技術分野】
【０００１】
本発明は、野菜・食品等を秤量するための組み合わせ計量機において、簡便な構成で効率の良い秤量が可能な、組み合わせ計量機及び組み合わせ計量機の使用方法に関するものである。
【背景技術】
【０００２】
野菜・食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。しかし、個別の農家や小規模の出荷組合等に於いては大規模で高価な自動機の組み合わせ計量機を導入する余裕はなく、手作業による秤量選別が行われているのが実情である。
【０００５】
簡便な構成で簡便な構成で効率の良い秤量が可能な、複数の計量部位を有する計量機及び複数の計量部位を有する計量機の使用方法が求められているが、通常は単体の秤を用いていることが多く、効率の良い製品は実用化されていない。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。
【０００８】
これらの課題を解決するため、筆者らは、簡素な構成でコストが安く、効率の良い作業が可能な組み合わせ計量機を開発してきている。
【０００９】
複数の計量部位を有する組み合わせ計量機は、簡便な構成で効率の良い組み合わせ計量を実現するものであるが、実際の作業現場に於いては秤量対象による使い勝手の差異が生じる場合があった。
【００１０】
例えば、これはヘッド数が少ない場合に顕著であるが、従前の装置においては組み合わせ計量の指定重量範囲に収まる組み合わせがない場合、一度載置した対象物を載せ替えたうえで再計量ボタン（リセットボタン）を押して再計量を行う機構となっており、作業効率が低くなっていた。
【００１１】
また、ミニトマト等の１包装あたりの個数が多い秤量対象の場合、載置された秤量対象物を減らし、増やし或いは載せ替えることにより簡単に指定重量範囲に収まる場合等にも、前記の再計算ボタンを押さなければならず、作業効率が低くなっていた。
【００１２】
また、再計算ボタンを押さなくても一定時間が経過すると再計算を行う構成とすることも可能であるが、この場合にも待ち時間が発生し、作業効率が低下する。
【００１３】
これらの課題を解決するため、簡便な構成で効率の良い秤量が可能な、組み合わせ計量機及び組み合わせ計量機の使用方法が求められていた。
【課題を解決するための手段】
【００１４】
本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備えたことを特徴とする、組み合わせ計量機である。
【００１５】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、作業者は該組み合わせ計量の指定重量範囲に収まる組み合わせがある場合はこれらをピックアップし、また、準最適値の指示があった場合はこれらをピックアップする、或いは何れかの計量皿に載置された秤量対象物を減らし、増やし或いは載せ替を行うことを特徴とする、組み合わせ計量機の使用方法である。
【００１６】
また本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、該組み合わせ計量の指定重量範囲に収まる組み合わせがない場合に何れかの計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行うことを特徴とする、組み合わせ計量機である。
【００１７】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、該組み合わせ計量の指定重量範囲に収まる組み合わせがない場合に何れかの計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行う機構を有し、作業者は該組み合わせ計量の指定重量範囲に収まる組み合わせがある場合はこれらをピックアップし、該組み合わせ計量の指定重量範囲に収まる組み合わせがない場合は、計量皿の何れかに載置された秤量対象物を減らし、増やし或いは載せ替を行い、自動再計算の結果に従ってピックアップ或いは再度の載せ替えを行うことを特徴とする、組み合わせ計量機の使用方法である。
【００１８】
また本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、該準最適値の指示があった場合に場合に対象計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行い、該組み合わせ計量の指定重量範囲に収まる組み合わせがない場合は、再度準最適値を該当部位の表示素子により弁別可能な指示を行うことを特徴とする、組み合わせ計量機である。
【００１９】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な他の指示を行う機能を備え、該準最適値の指示があった場合に場合に対象計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行い、該組み合わせ計量の指定重量範囲に収まる組み合わせがない場合は、再度準最適値を該当部位の表示素子により弁別可能な指示を行う機構を有し、作業者は該組み合わせ計量の指定重量範囲に収まる組み合わせがある場合はこれらをピックアップし、また、準最適値の指示があった場合は対象計量皿の何れかに載置された秤量対象物を減らし、増やし或いは載せ替を行い、自動再計算の結果に従ってピックアップ或いは再度の載せ替えを行うことを特徴とする、組み合わせ計量機の使用方法である。
【００２０】
また本発明は、該準最適値の設定が指定重量範囲の設定とともに準最適値発動の上限値及び／又は下限値の設定が可能であることを特徴とする。
【００２１】
また本発明は、該組み合わせ計量機の発光素子による指示が、指定重量範囲に収まる組み合わせがある場合は該当部位の発光素子が連続点灯し、準最適値が指示される場合は該当部位の発光素子が点滅することにより指示を行うことを特徴とする。
【００２２】
また本発明は、該組み合わせ計量機の各計量部位の近傍に備えられる発光素子がＬＥＤ素子であることを特徴とし、また本発明は、該組み合わせ計量機の各計量部位の近傍に備えられる発光素子がマトリクス表示素子であることを特徴とし、さらに本発明は、該マトリクス表示素子がマトリクスＬＥＤ表示素子であることを特徴とする。
【００２３】
また本発明は、該組み合わせ計量機のマトリクスＬＥＤ表示素子による指示が指定重量範囲に収まる組み合わせがある場合の該当部位のマトリクスＬＥＤ表示素子に表示される文字或いは記号と、準最適値が指示される場合の該当部位のマトリクスＬＥＤ表示素子に表示される文字或いは記号が異なることにより指示を行うことを特徴とする。
【００２４】
また本発明は、該組み合わせ計量機において、複数の計量部位を２つの領域或いは複数の領域に領域分割し、且つ、それぞれの領域は独立して組み合わせ計量を行う機能を備えたことを特徴とする。
【００２５】
また本発明は、該発光素子による組み合わせ成立の指示が分割された領域ごとに異なった発光色或いは異なった表示となっていることを特徴とする。
【００２６】
また本発明は、該組み合わせ計量機が対向する２列の計量部位を備え、且つ領域分割がなされ、複数の作業者が同時に作業を行えることを特徴とする。
【００２７】
また本発明は、該組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００２８】
また本発明は、該組み合わせ計量機がソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする。
【００２９】
また本発明は、該組み合わせ計量機がＵＳＢメモリを含む外部記憶装置を接続する機構を有し、データの保管及び管理が可能であることを特徴とする。
【００３０】
また本発明は、該組み合わせ計量機が対象物品の価格データ等との統合計算を行う機能を有し、荷受処理、出荷処理、伝票発行及びネットワークを介してのこれらのデータの転送或いは送受信が可能であることを特徴とする。
【発明の効果】
【００３１】
本発明に係る組み合わせ計量機及び組み合わせ計量機の使用方法は、簡便な構成で効率の良い秤量が可能となり、組み合わせ計量機の用途を拡大することを可能とし、作業効率を向上させ、もって社会に資することが出来る。
【図面の簡単な説明】
【００３２】
【図１】図１は、本発明に係る組み合わせ計量機の使用形態を説明するための概念図である。
【図２】図２は、本発明に係る組み合わせ計量機の他の使用形態を説明するための概念図である。
【発明を実施するための形態】
【００３３】
本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備えたことを特徴とする、組み合わせ計量機である。
【００３４】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、作業者は該組み合わせ計量の指定重量範囲に収まる組み合わせがある場合はこれらをピックアップし、また、準最適値の指示があった場合はこれらをピックアップする、或いは何れかの計量皿に載置された秤量対象物を減らし、増やし或いは載せ替を行うことを特徴とする、組み合わせ計量機の使用方法である。
【００３５】
即ち、指定重量範囲からの逸脱が規定重量を下回らないものであり、且つ、対象物の価格等の要件から再計量を行うよりも準最適値でピックアップを行い、次の作業へ向かった方が効率的だと判断されれば準最適値のままピックアップすることも可能である。また、単価の高い対象物の場合は載せ替えての再計算を選択することもできる。
【００３６】
また本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、該組み合わせ計量の指定重量範囲に収まる組み合わせがない場合に何れかの計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行うことを特徴とする、組み合わせ計量機である。
【００３７】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、該組み合わせ計量の指定重量範囲に収まる組み合わせがない場合に何れかの計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行う機構を有し、作業者は該組み合わせ計量の指定重量範囲に収まる組み合わせがある場合はこれらをピックアップし、該組み合わせ計量の指定重量範囲に収まる組み合わせがない場合は、計量皿の何れかに載置された秤量対象物を減らし、増やし或いは載せ替を行い、自動再計算の結果に従ってピックアップ或いは再度の載せ替えを行うことを特徴とする、組み合わせ計量機の使用方法である。
【００３８】
例えば、これはヘッド数が少ない場合に顕著であるが、従前の装置においては組み合わせ計量の指定重量範囲に収まる組み合わせがない場合、一度載置した対象物を載せ替えたうえで再計量ボタン（リセットボタン）を押して再計量を行う機構となっており、作業効率が低くなっていた。
【００３９】
また、ミニトマト等の１包装あたりの個数が多い秤量対象の場合、載置された秤量対象物を減らし、増やし或いは載せ替えることにより簡単に指定重量範囲に収まる場合等にも、前記の再計算ボタンを押さなければならず、作業効率が低くなっていた。
【００４０】
また、再計算ボタンを押さなくても一定時間が経過すると再計算を行う構成とすることも可能であるが、この場合にも待ち時間が発生し、作業効率が低下する。
【００４１】
本発明に於いては、組み合わせ計量の指定重量範囲に収まる組み合わせがない場合に何れかの計量皿に載置された秤量対象物を減らし、増やし或いは載せ替えた場合、その重量変動を検知する機構を備え、かかる重量変動があった場合に自動的に再計算を行うため、再計量ボタンを押す必要がなく作業効率が向上した。蛇足ながら、再計量ボタンは一般に作業位置から離れた位置に設置されているため、特に小柄な作業者などの場合は煩雑なだけでなく押すことに困難が伴うことすらあった。本発明はこれらを解決することができた。
【００４２】
また本発明は、野菜・食品等を秤量するための複数の計量部位を有する組み合わせ計量機において、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、該準最適値の指示があった場合に場合に対象計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行い、該組み合わせ計量の指定重量範囲に収まる組み合わせがない場合は、再準最適値を該当部位の表示素子により弁別可能な指示を行うことを特徴とする、組み合わせ計量機である。
【００４３】
また本発明は、野菜・食品等を秤量するための複数の計量部位を有する組み合わせ計量機の使用方法であって、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な他の指示を行う機能を備え、該準最適値の指示があった場合に場合に対象計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行い、該組み合わせ計量の指定重量範囲に収まる組み合わせがない場合は、再度準最適値を該当部位の表示素子により弁別可能な指示を行う機構を有し、作業者は該組み合わせ計量の指定重量範囲に収まる組み合わせがある場合はこれらをピックアップし、また、準最適値の指示があった場合は対象計量皿の何れかに載置された秤量対象物を減らし、増やし或いは載せ替を行い、自動再計算の結果に従ってピックアップ或いは再度の載せ替えを行うことを特徴とする、組み合わせ計量機の使用方法である。
【００４４】
かかる構成とすることにより、準最適値でのピックアップの判断が可能となるとともに、載せ替え時の作業効率も向上し、組み合わせ計量機の使い勝手が格段に向上した。
【００４５】
また本発明は、該準最適値の設定が指定重量範囲の設定とともに準最適値発動の上限値及び／又は下限値の設定が可能であることを特徴とする。通常は１包装の重量は規定値を下回ってはならないから準最適値は指定重量範囲の上側にのみ設定されるが、対象物によっては準最適値の場合は載せ替え（増減を含む）を前提に規定値以下にも準最適値範囲を設定することが効率的な場合もあり、本発明はこれにも対応した。
【００４６】
また本発明は、該組み合わせ計量機の発光素子による指示が、指定重量範囲に収まる組み合わせがある場合は該当部位の発光素子が連続点灯し、準最適値が指示される場合は該当部位の発光素子が点滅することにより指示を行うことを特徴とする。
【００４７】
また本発明は、該組み合わせ計量機の各計量部位の近傍に備えられる発光素子がＬＥＤ素子であることを特徴とし、また本発明は、該組み合わせ計量機の各計量部位の近傍に備えられる発光素子がマトリクス表示素子であることを特徴とし、さらに本発明は、該マトリクス表示素子がマトリクスＬＥＤ表示素子であることを特徴とする。
【００４８】
また本発明は、該組み合わせ計量機のマトリクスＬＥＤ表示素子による指示が指定重量範囲に収まる組み合わせがある場合の該当部位のマトリクスＬＥＤ表示素子に表示される文字或いは記号と、準最適値が指示される場合の該当部位のマトリクスＬＥＤ表示素子に表示される文字或いは記号が異なることにより指示を行うことを特徴とする。
【００４９】
これらの指示方法により、非常に効率的な組み合わせ計量が実現された。
【００５０】
また本発明は、該組み合わせ計量機において、複数の計量部位を２つの領域或いは複数の領域に領域分割し、且つ、それぞれの領域は独立して組み合わせ計量を行う機能を備えたことを特徴とする。
【００５１】
また本発明は、該発光素子による組み合わせ成立の指示が分割された領域ごとに異なった発光色或いは異なった表示となっていることを特徴とする。
【００５２】
また本発明は、該組み合わせ計量機が対向する２列の計量部位を備え、且つ領域分割がなされ、複数の作業者が同時に作業を行えることを特徴とする。
【００５３】
本発明は、特に指定重量範囲に収まる確率が相対的に低くなる少数ヘッドの場合に効果が大きい。このため、例えば通常の１２ヘッド機ではなく半分の１列６ヘッド機を用いても十分に効率的な組み合わせ計量が可能となった。
【００５４】
また、前記の理由により、２列１２ヘッド機をそれぞれの列の６ヘッドに分割動作させることで１台で２倍の効率を得ることもでき、その効果は大きい。
【００５５】
また本発明は、該組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００５６】
また本発明は、該組み合わせ計量機がソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする。
【００５７】
また本発明は、該組み合わせ計量機がＵＳＢメモリを含む外部記憶装置を接続する機構を有し、データの保管及び管理が可能であることを特徴とする。
【００５８】
また本発明は、該組み合わせ計量機が対象物品の価格データ等との統合計算を行う機能を有し、荷受処理、出荷処理、伝票発行及びネットワークを介してのこれらのデータの転送或いは送受信が可能であることを特徴とする。
【実施例１】
【００５９】
図１は、本発明に係る組み合わせ計量機の使用形態を説明するための概念図である。本実施例に於いては、通常の２列１２ヘッドの組み合わせ計量機を用い、該組み合わせ計量機の各計量部位は夫々の近傍に発光素子を備え、該組み合わせ計量の指定重量範囲に収まる組み合わせがある場合は該当部位の発光素子により指示を行い、且つ、該組み合わせ計量の指定重量範囲に収まる組み合わせがない場合は指定重量範囲を超えた値で指定重量範囲近傍の組み合わせ（以下、準最適値という）を該当部位の表示素子により弁別可能な指示を行う機能を備え、該準最適値の指示があった場合に場合に対象計量皿に載置された秤量対象物を減らし、増やし或いは載せ替えた場合、その重量変動を検知する機構を備え、かかる重量変動があった場合に自動的に再計算を行い、該組み合わせ計量の指定重量範囲に収まる組み合わせがある場合は該当部位の発光素子により指示を行い、該組み合わせ計量の指定重量範囲に収まる組み合わせがない場合は、再度準最適値を該当部位の表示素子により弁別可能な指示を行うようにした。
【００６０】
作業者は該組み合わせ計量の指定重量範囲に収まる組み合わせがある場合はこれらをピックアップし、また、準最適値の指示があった場合は対象計量皿の何れかに載置された秤量対象物を減らし、増やし或いは載せ替を行い、自動再計算の結果に従ってピックアップ或いは再度の載せ替えを行う。また、諸条件により準最適値でピックアップするという判断も可能である。
【００６１】
指示を行う発光素子にはＬＥＤ表示素子を用い、指定重量範囲に収待った場合は対象部位が連続点灯、準最適値の場合は対象部位が点滅するようにした。
【００６２】
これにより、組み合わせ計量の作業効率が飛躍的に向上した。
【００６３】
なお本発明の計量機は、前記のように筆者らが開発上市している組み合わせ計量機と同様の形態であるから、ソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いることができる。
【００６４】
また本発明の計量機は、ＵＳＢメモリを含む外部記憶装置を接続する機構を有し、データの保管及び管理が可能とすることも出来、さらに、該計量機が対象物品の価格データ等との統合計算を行う機能を有し、荷受処理、出荷処理、伝票発行及びネットワークを介してのこれらのデータの転送或いは送受信が可能とすることも出来るため、例えば季節により出荷品目、対象商品が変わった場合にも容易に低コストで対応することができる。
【実施例２】
【００６５】
図２は、本発明に係る組み合わせ計量機の他の使用形態を説明するための概念図である。本実施例に於いては１２ヘッドを有する組み合わせ計量機を使用する場合に於いて、領域を２分割して夫々６ヘッドを割り当て、２名の作業者により並行して作業を行うようにしている。
【００６６】
本発明は、特に指定重量範囲に収まる確率が相対的に低くなる少数ヘッドの場合に効果が大きい。このため、例えば通常の１２ヘッド機ではなく半分の１列６ヘッド機を用いても十分に効率的な組み合わせ計量が可能となった。また、前記の理由により、２列１２ヘッド機をそれぞれの列の６ヘッドに分割動作させることで１台で２倍の効率を得ることもでき、その効果は大きい。
【００６７】
組み合わせ計量機に用いられる計量皿としては、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたものが好適に用いられる。
【００６８】
以上述べてきたように、本発明に係る組み合わせ計量機及び組み合わせ計量機の使用方法は、簡便な構成で効率の良い秤量が可能となり、計量機の用途を拡大することを可能とし、作業効率を向上させ、さらに個別の農家や小規模の出荷組合等に於いても導入可能となり、作業効率の向上と農家所得の増大に与って効果のあるものとなった。
【産業上の利用可能性】
【００６９】
本発明に係る複数の計量部位を有する計量機及び複数の計量部位を有する計量機の使用方法は、簡便な構成で効率の良い秤量が可能となり、計量機の用途を拡大することを可能とし、作業効率を向上させ、計量機の用途を拡大することを可能とし、作業効率を向上させ、産業上の利用可能性は大である。
【符号の説明】
【００７０】
１    組み合わせ計量機本体
２    表示素子
３    作業者
【図１】
2020056646.tif 000003
【図２】
2020056646.tif 000004